【事件の表示】
　特許第３２３０７５４号「液晶表示装置」の請求項１に係る特許に対する特許異議の申立てについて、次のとおり決定する。
【結　論】
　訂正を認める。
　本件特許異議の申立てを却下する。
【理　由】
１．手続の経緯
　特許第３２３０７５４号の請求項１に係る発明についての出願は、平成３年７月１１日に特許出願され、平成１３年９月１４日にその特許の設定登録がなされ、その後セイコーエプソン株式会社より特許異議の申立てがなされ、取消理由が通知され、その指定期間内である平成１４年９月３０日に訂正請求がなされたものである。
　　　
２．訂正の適否についての判断
ア．訂正の内容
（１）特許請求の範囲の記載
　「【請求項１】対向配置された一対の基板と、この一対の基板の対向する内面に形成され、互いに交差して対向する電極と、前記一対の基板に形成された配向膜間に介在してツイスト配向され、正の誘電異方性を有する液晶材料と、前記一対の基板を挟んで配置された一対の偏光板とを備えた液晶表示装置において、
前記液晶材料は、ベント弾性定数Ｋ33とスプレイ弾性定数Ｋ11との比で表される弾性定数比Ｋ33／Ｋ11の値が１．７５以上、誘電異方性Δεと液晶分子軸に直交する方向の誘電率ε⊥との比である誘電率比Δε／ε⊥の値が２以下の液晶からなり、前記配向膜近傍の液晶分子のプレチルト角が６゜以上で、かつ前記一対の基板間で約２３０゜乃至２５０゜の角度でツイスト配向されていることを特徴とする液晶表示装置。
【請求項２】対向配置された一対の基板と、この一対の基板の対向する内面に形成され、互いに交差して対向する電極と、前記一対の基板に形成された配向膜間に介在してツイスト配向され、正の誘電異方性を有する液晶材料と、前記一対の基板を挟んで配置された一対の偏光板とを備えた液晶表示装置において、前記液晶材料は、誘電異方性Δεと液晶分子軸に直交する方向の誘電率ε⊥との比である誘電率比Δε／ε⊥の値が２以下で、この誘電率ε⊥の値が４より小さく、かつ平均誘電率ε′の値が６以下の液晶からなり、前記一対の基板間で約２３０゜乃至２５０゜の角度でツイスト配向されていることを特徴とする液晶表示装置。」（ただし、ε′は明細書における【外１】としてのεの上に横バーを付したものに代えて表記するものであり、以下においても同様とする。）
を
　「【請求項１】対向配置された一対の基板と、この一対の基板の対向する内面に形成され、互いに交差して対向する電極と、前記一対の基板に形成された配向膜間に介在してツイスト配向された正の誘電異方性を有する液晶材料と、前記一対の基板を挟んで配置された一対の偏光板とを備えた液晶表示装置において、前記液晶材料は、誘電異方性Δεと液晶分子軸に直交する方向の誘電率ε⊥との比である誘電率比Δε／ε⊥の値が２以下で、この誘電率ε⊥の値が４より小さく、かつ平均誘電率ε′の値が６以下の液晶からなり、前記一対の基板間で約２３０゜乃至２５０゜の角度でツイスト配向されていることを特徴とする液晶表示装置。」
と訂正する。
（２）明細書の段落【０００９】の記載
　「【課題を解決するための手段】
　請求項１の発明は、対向配置された一対の基板と、この一対の基板の対向する内面に形成されて互いに交差して対向する電極と、前記一対の基板に形成された配向膜間に介在してツイスト配向された正の誘電異方性を有する液晶材料と、前記一対の基板を挟んで配置された一対の偏光板とを備えた液晶表示装置において、前記液晶材料は、ベント弾性定数Ｋ33とスプレイ弾性定数Ｋ11との比で表される弾性定数比Ｋ33／Ｋ11の値が１．７５以上、誘電異方性Δεと液晶分子軸に直交する方向の誘電率ε⊥との比である誘電率比Δε／ε⊥の値が２以下の液晶からなり、前記配向膜近傍の液晶分子のプレチルト角が６゜以上で、かつ前記一対の基板間で約２３０゜乃至２５０゜の角度でツイスト配向されていることを特徴とする。」
を
　「【課題を解決するための手段】
　請求項１の発明は、対向配置された一対の基板と、この一対の基板の対向する内面に形成され、互いに交差して対向する電極と、前記一対の基板に形成された配向膜間に介在してツイスト配向された正の誘電異方性を有する液晶材料と、前記一対の基板を挟んで配置された一対の偏光板とを備えた液晶表示装置において、前記液晶材料は、誘電異方性Δεと液晶分子軸に直交する方向の誘電率ε⊥との比である誘電率比Δε／ε⊥の値が２以下で、この誘電率ε⊥の値が４より小さく、かつ平均誘電率ε′の値が６以下の液晶からなり、前記一対の基板間で約２３０゜乃至２５０゜の角度でツイスト配向されていることを特徴とする。」
と訂正する。
（３）明細書の段落【００１０】の記載
　「請求項２の発明は、対向配置された一対の基板と、この一対の基板の対向する内面に形成され、互いに交差して対向する電極と、前記一対の基板に形成された配向膜間に介在してツイスト配向され、正の誘電異方性を有する液晶材料と、前記一対の基板を挟んで配置された一対の偏光板とを備えた液晶表示装置において、前記液晶材料は、誘電異方性Δεと液晶分子軸に直交する方向の誘電率ε⊥との比である誘電率比Δε／ε⊥の値が２以下で、この誘電率ε⊥の値が４より小さく、かつ平均誘電率ε′の値が６以下の液晶からなり、前記一対の基板間で約２３０゜乃至２５０゜の角度でツイスト配向されていることを特徴とする。」
を削除する。  
（４）明細書の段落【００１１】の記載
　「【作用】
　請求項１の発明によれば、液晶材料のツイスト角を約２３０゜乃至２５０゜と大きくし、ベント弾性定数Ｋ33とスプレイ弾性定数Ｋ11との比で表される弾性定数比Ｋ33／Ｋ11の値を１．７５以上と大きく、かつ誘電異方性Δεと液晶分子軸に直交する方向の誘電率ε⊥との比である誘電率比Δε／ε⊥の値を２以下と小さくすることによって急峻なしきい値特性を得ることができ、配向膜間に介在する液晶層の配向膜近傍に位置する液晶分子のプレチルト角を６゜以上と大きくすることにより、ｄ／ｐマージン（すなわち、液晶材料が一定のツイスト角で配向され、かつ電圧印加時に一定の動作をする領域）が大きくなって配向が安定し、これにより高いコントラストと優れた輝度変化の急峻性と高速応答性が得られ、高時分割駆動が可能となる。」
を
　「請求項１の発明によれば、液晶材料の誘電異方性Δεと液晶分子軸に直交する方向の誘電率ε⊥との比である誘電率比Δε／ε⊥の値を２以下と小さくして、応答特性をよくし、かつ平均誘電率ε′の値を６以下とし、誘電率ε⊥の値を４以下と小さくしたので、配向膜界面に吸着されたイオン性の不純物を再び液晶材料中に取り込み難くなり、これにより液晶材料中の可動イオンの量が減少し、長時間動作させたときの動作の安定性および信頼性を高めることができる。」
と訂正する。
（５）明細書の段落【００１２】の記載
　「請求項２の発明によれば、誘電異方性Δεと液晶分子軸に直交する方向の誘電率ε⊥との比である誘電率比Δε／ε⊥の値を２以下と小さくして、応答特性をよくし、かつ平均誘電率ε′の値を６以下とし、誘電率ε⊥の値を４以下と小さくしたので、配向膜界面に吸着されたイオン性の不純物を再び液晶材料中に取り込み難くなり、これにより液晶材料中の可動イオンの量が減少し、長時間動作させたときの動作の安定性および信頼性を高めることができる。」
を削除する。
（６）明細書の段落【００２７】の記載
　「【発明の効果】
　以上述べたように、この発明は、液晶材料のツイスト角を約２３０゜乃至２５０゜と大きくし、ベント弾性定数Ｋ33とスプレイ弾性定数Ｋ11との比で表される弾性定数比Ｋ33／Ｋ11の値を１．７５以上と大きく、かつ誘電異方性Δεと液晶分子軸に直交する方向の誘電率ε⊥との比である誘電率比Δε／ε⊥の値を２以下と小さくし、さらに配向膜近傍の液晶分子のプレチルト角を６゜以上と大きくすることにより、液晶分子の均一で安定したツイスト配向が得られ、また、これにより急峻性なしきい値特性を得ることができ、高いコントラストと優れた輝度変化の急峻性と高速応答が得られ、高時分割駆動が可能となる。また、この発明によれば、誘電異方性Δεと液晶分子軸に直交する方向の誘電率ε⊥との比である誘電率比Δε／ε⊥の値を２以下と小さくして、応答特性を良くし、また平均誘電率ε′の値を６以下とし、且つ誘電率ε⊥の値を４より小さくしたので、液晶材料中の可動イオン量が減少し、長時間動作させたときの動作の安定性および信頼性を高めることができる。」
を
　「以上述べたように、この発明は、液晶材料の誘電異方性Δεと液晶分子軸に直交する方向の誘電率ε⊥との比である誘電率比Δε／ε⊥の値を２以下と小さくして、応答特性をよくし、かつ平均誘電率ε′の値を６以下とし、誘電率ε⊥の値を４より小さくしたので、液晶材料中の可動イオンの量が減少し、長時間動作させたときの動作の安定性および信頼性を高めることができる。」
と訂正する。
イ．訂正の目的の適否、新規事項の有無及び拡張・変更の存否
　上記訂正事項（１）は、特許請求の範囲の請求項１を削除し、請求項２における「配向膜間に介在してツイスト配向され、正の誘電異方性を有する」を「配向膜間に介在してツイスト配向された正の誘電異方性を有する」と訂正して、請求項２を新たな請求項１とするものであるから、請求項２については明りょうでない記載の釈明に該当し、新規事項の追加に該当せず、実質的に特許請求の範囲を拡張又は変更するものではない。
　上記訂正事項（２）〜（６）は、訂正事項（１）との整合を図るために、明細書の段落【０００９】、【００１１】及び【００２７】を訂正し、【００１０】及び【００１２】を削除するものであるから、明りょうでない記載の釈明に該当し、新規事項の追加に該当せず、実質的に特許請求の範囲を拡張又は変更するものではない。
ウ．むすび
　したがって、上記訂正は、特許法第１２０条特許法等の一部を改正する法律（平成６年法律第１１６号）附則第６条第１項の規定によりなお従前の例によるとされる特許法第１２０条の４第３項において準用する平成６年法律第１１６号による改正前の特許法第１２６条第１項ただし書及び第２項の規定に適合するので、当該訂正を認める。
　　　　
３．特許異議の申立てについての判断
　特許異議の申立てられた請求項１は、訂正により削除され、申立てのされていない請求項２が訂正されて新たな請求項１となったので、その結果として特許異議申立ての対象は存在しない。
　よって、結論のとおり決定する。
【異議決定日】
平成１４年１０月８日（２００２．１０．８）
【訂正の要旨】
訂正の要旨
　▲１▼　訂正事項（１）
　願書に最初に添付した明細書の特許請求の範囲の記載
　「【請求項１】　対向配置された一対の基板と、この一対の基板の対向する内面に形成され、互いに交差して対向する電極と、前記一対の基板に形成された配向膜間に介在してツイスト配向され、正の誘電異方性を有する液晶材料と、前記一対の基板を挟んで配置された一対の偏光板とを備えた液晶表示装置において、前記液晶材料は、ベント弾性定数Ｋ３３とスプレイ弾性定数Ｋ１１との比で表される弾性定数比Ｋ３３／Ｋ１１の値が１．７５以上、誘電異方性Δεと液晶分子軸に直交する方向の誘電率ε⊥との比である誘電率比Δε／ε⊥の値が２以下の液晶からなり、前記配向膜近傍の液晶分子のプレチルト角が６°以上で、かつ前記一対の基板間で約２３０°乃至２５０°の角度でツイスト配向されていることを特徴とする液晶表示装置。
　【請求項２】対向配置された一対の基板と、この一対の基板の対向する内面に形成され、互いに交差して対向する電極と、前記一対の基板に形成された配向膜間に介在してツイスト配向され、正の誘電異方性を有する液晶材料と、前記一対の基板を挟んで配置された一対の偏光板とを備えた液晶表示装置において、前記液晶材料は、誘電異方性Δεと液晶分子軸に直交する方向の誘電率ε⊥との比である誘電率比Δε／ε⊥の値が２以下で、この誘電率ε⊥の値が４より小さく、かつ平均誘電率
　【外１】
の値が６以下の液晶からなり、前記一対の基板間で約２３０°乃至２５０°の角度でツイスト配向されていることを特徴とする液晶表示装置。」
を
　「【請求項１】対向配置された一対の基板と、この一対の基板の対向する内面に形成され、互いに交差して対向する電極と、前記一対の基板に形成された配向膜間に介在してツイスト配向され
た
　【外１】
の値が６以下の液晶からなり、前記一対の基板間で約２３０°乃至２５０°の角度でツイスト配向されていることを特徴とする液晶表示装置。」
と訂正する。
　▲２▼　訂正事項（２）
　願書に最初に添付した明細書の段落番号【０００９】の記載
　「【課題を解決するための手段】
　請求項１の発明は、対向配置された一対の基板と、この一対の基板の対向する内面に形成されて互いに交差して対向する電極と、前記一対の基板に形成された配向膜間に介在してツイスト配向された正の誘電異方性を有する液晶材料と、前記一対の基板を挟んで配置された一対の偏光板とを備えた液晶表示装置において、前記液晶材料は、ベント弾性定数Ｋ３３とスプレイ弾性定数Ｋ１１との比で表される弾性定数比Ｋ３３／Ｋ１１の値が１．７５以上、誘電異方性Δεと液晶分子軸に直交する方向の誘電率ε⊥との比である誘電率比Δε／ε⊥の値が２以下の液晶からなり、前記配向膜近傍の液晶分子のプレチルト角が６°以上で、かつ前記一対の基板間で約２３０°乃至２５０°の角度でツイスト配向されていることを特徴とする。」
を、
　「【課題を解決するための手段】
　請求項１の発明は、対向配置された一対の基板と、この一対の基板の対向する内面に形成され、互いに交差して対向する電極と、前記一対の基板に形成された配向膜間に介在してツイスト配向された正の誘電異方性を有する液晶材料と、前記一対の基板を挾んで配置された一対の偏光板とを備えた液晶表示装置において、前記液晶材料は、
誘電異方性Δεと液晶分子軸に直交する方向の誘電率ε⊥との比である誘電率比Δε／ε⊥の値が２以下で、この誘電率ε⊥の値が４より小さく、かつ平均誘電率
　
【外１】
の値が６以下の液晶からなり、
と訂正する。
　▲３▼　訂正事項（３）
　願書に最初に添付した明細書の段落番号【００１０】の記載
　「請求項２の発明は、対向配置された一対の基板と、この一対の基板の対向する内面に形成され、互いに交差して対向する電極と、一対の基板に形成された配向膜間に介在してツイスト配向され、正の誘電異方性を有する液晶材料と、一対の基板を挾んで配置された一対の偏光板とを備えた液晶表示装置において、前記液晶材料は、誘電異方性Δεと液晶分子軸に直交する方向の誘電率ε⊥との比である誘電率比Δε／ε⊥の値が２以下で、この誘電率ε⊥の値が４より小さく、かつ平均誘電率
　【外１】
の値が６以下の液晶からなり、一対の基板間で約２３０°乃至２５０°の角度でツイスト配向されていることを特徴とする。」
を削除する。
　▲４▼　訂正事項（４）
　願書に最初に添付した明細書の段落番号【００１１】の記載
　「【作用】
　請求項１の発明によれば、液晶材料のツイスト角を約２３０°乃至２５０°と大きくし、ベント弾性定数Ｋ３３とスプレイ弾性定数Ｋ１１との比で表される弾性定数比Ｋ３３／Ｋ１１の値を１．７５以上と大きく、かつ誘電異方性Δεと液晶分子軸に直交する方向の誘電率ε⊥との比である誘電率比Δε／ε⊥の値を２以下と小さくすることによって急峻なしきい値特性を得ることができ、配向膜間に介在する液晶層の配向膜近傍に位置する液晶分子のプレチルト角を６°以上と大きくすることにより、ｄ／ｐマージン（すなわち、液晶材料が一定のツイスト角で配向され、かつ電圧印加時に一定の動作をする領域）が大きくなって配向が安定し、これにより高いコントラストと優れた輝度変化の急峻性と高速応答性が得られ、高時分割駆動が可能となる。」
を
　「請求項１の発明によれば、液晶材料の
誘電異方性Δεと液晶分子軸に直行する方向の誘電率ε⊥との比である誘電率比Δε／ε⊥の値を２以下と小さくして、応答特性を良くし、かつ平均誘電率
　
【外１】
の値を６以下とし、誘電率ε⊥の値を４以下と小さくしたので、配向膜界面に吸されたイオン性の不純物を再び液晶材料中に取り込み難くなり、これにより液晶材料中の可動イオンの量が減少し、長時間動作させたときの動作の安定性および信頼性を高めることができる。」
と訂正する。
　▲５▼　訂正事項（５）
　願書に最初に添付した明細書の段落番号【００１２】の記載
　「　請求項２の発明によれば、誘電異方性Δεと液晶分子軸に直交する方向の誘電率ε⊥との比である誘電率比Δε／ε⊥の値を２以下と小さくして、応答特性を良くし、かつ平均誘電率
　【外１】
の値を６以下とし、誘電率ε⊥の値を４以下と小さくしたので、配向膜界面に吸着されたイオン性の不純物を再び液晶材料中に取り込み難くなり、これにより液晶材料中の可動イオンの量が減少し、長時間動作させたときの動作の安定性および信頼性を高めることができる。」
を削除する。
　▲６▼　訂正事項（６）
　願書に最初に添付した明細書の段落番号【００２７】の記載
　「【発明の効果】
　以上述べたように、この発明は、液晶材料のツイスト角を約２３０°乃至２５０°と大きくし、ベント弾性定数Ｋ３３とスプレイ弾性定数Ｋ１１との比で表される弾性定数比Ｋ３３／Ｋ１１の値を１．７５以上と大きく、かつ誘電異方性Δεと液晶分子軸に直交する方向の誘電率ε⊥との比である誘電率比Δε／ε⊥の値を２以下と小さくし、さらに配向膜近傍の液晶分子のプレチルト角を６°以上と大きくすることにより、液晶分子の均一で安定したツイスト配向が得られ、また、これにより急峻性なしきい値特性を得ることができ、高いコントラストと優れた輝度変化の急峻性と高速応答が得られ、高時分割駆動が可能となる。また、この発明によれば、誘電異方性Δεと液晶分子軸に直交する方向の誘電率ε⊥との比である誘電率比Δε／ε⊥の値を２以下と小さくして、応答特性を良くし、また平均誘電率
　【外１】
の値を６以下とし、且つ誘電率ε⊥の値を４より小さくしたので、液晶材料中の可動イオン量が減少し、長時間動作させたときの動作の安定性および信頼性を高めることができる。」
を
　「【発明の効果】
　以上述べたように、この発明は、液晶材料
の誘
　【外１】
の値を６以下とし、且つ誘電率ε⊥の値を４より小さくしたので、液晶材料中の可動イオン量が減少し、長時間動作させたときの動作の安定性および信頼性を高めることができる。」
と訂正する。
（５４）【発明の名称】
液晶表示装置
（５７）【特許請求の範囲】
　【請求項１】　対向配置された一対の基板と、この一対の基板の対向する内面に形成され、互いに交差して対向する電極と、前記一対の基板に形成された配向膜間に介在してツイスト配向され
た
　【外１】
の値が６以下の液晶からなり、前記一対の基板間で約２３０°乃至２５０°の角度でツイスト配向されていることを特徴とする液晶表示装置。
【発明の詳細な説明】
　【０００１】
　【産業上の利用分野】
　この発明は、時分割駆動される電界効果型の液晶表示装置に関する。
　【０００２】
　【従来の技術】
　液晶表示装置は、事務機器などの表示装置として広く使用されており、表示画面の大型化と共に画素数が多く、表示品質の高いことが要求されている。このような事務機器などの表示装置には、素子構造が単純化でき、かつ駆動装置が簡素化できる単純マトリックス構造の液晶表示素子が広く使用されている。
　【０００３】
　この単純マトリックス構造の液晶表示素子は、信号電極がストライプ状に形成された一方の基板と走査電極がストライプ状に形成された他方の基板とを前記信号電極と走査電極とが交差するように対向配置させ、前記一方基板と他方基板との間にツイスト配向させた液晶材料を介在させて液晶セルが形成され、この液晶セルの外側に一対の偏光板が配置されている。そして、前記走査電極に走査信号を供給し、この走査信号と同期させて前記信号電極にデータ信号を供給することによって走査電極と信号電極が交差する任意の画素の点灯状態が制御される。
　【０００４】
　このような時分割駆動方法では、時分割数を多くすると点灯画素と非点灯画素とに印加される電圧の差、すなわち動作マージンが低下してコントラストが低下し、また視野角が狭くなる。そのため、従来のＴＮ型液晶表示素子では、印加電圧に対する輝度変化の急俊性が劣るため、１／６０デューティ程度の時分割数をとるのが限度であり、画素数が多く高画質でかつ大型の表示装置を得ることができなかった。
　【０００５】
　このような急俊性を改善するためにツイスト角度を大きくしたＳＴＮ型の液晶表示素子やＳＢＥ型の液晶表示素子が提案されており、実用化されている。これらの液晶表示素子は、ツイスト角度を１８０°乃至２７０°とすることによって前記急俊性を改善し、１／２００デューティ程度まで時分割数をとることができる。この結果、６４０×４００ドットの液晶表示素子では、信号電極を２分して表示画面を上下に２分割し、各画素をそれぞれ１／２００デューティで駆動する方法がとられていた。
　【０００６】
　【発明が解決しようとする課題】
　上述した液晶表示素子は、信号電極を中央で上下に２分割しているため、その分割した部分に隣接する走査電極と信号電極とが対向する中央部分の画素の面積が、対向する基板の位置合わせ精度に依存し、位置合わせ誤差を無くすことができないので、画面中央部の画素列の大きさが異なってしまい、画面を分割する線が現れ、また、信号電極を上下２分割しているため、信号電極にデータ信号を供給するための駆動回路が信号電極の数の２倍の数だけ必要となり、かつ走査電極に走査信号を供給する走査電極の駆動回路では走査電極を２つのグループに分けて走査するための複雑な信号処理が必要であり、その結果、駆動回路が複雑でかつ電子回路の素子数が多くなって表示装置が大型化し、高価なものとなるという欠点があった。
　【０００７】
　また、上述した液晶表示素子は動作の安定性および長時間動作させたときの信頼性が要求されている。この安定性および信頼性は、液晶材料中に含まれるイオン性の不純物の影響によるものと考えられている。しかし、液晶材料中のイオン性の不純物を完全に取り除くことは困難であるため、動作が不安定となり、長時間動作の信頼性に欠けるという問題があった。
　【０００８】
　この発明は上述した欠点に鑑みてなされたものであり、その目的は高いコントラストと優れた輝度変化の急俊性と高速応答性をもち高時分割駆動が可能で、長時間安定して動作する液晶表示装置を提供することにある。
　【０００９】
　【課題を解決するための手段】
　請求項１の発明は、対向配置された一対の基板と、この一対の基板の対向する内面に形成され、互いに交差して対向する電極と、前記一対の基板に形成された配向膜間に介在してツイスト配向された正の誘電異方性を有する液晶材料と、前記一対の基板を挾んで配置された一対の偏光板とを備えた液晶表示装置において、前記液晶材料は、
誘電異方性Δεと液晶分子軸に直交する方向の誘電率ε⊥との比である誘電率比Δε／ε⊥の値が２以下で、この誘電率ε⊥の値が４より小さく、かつ平均誘電率
　
【外１】
の値が６以下の液晶からなり、
　【００１０】
　【００１１】
　【作用】
　請求項１の発明によれば、液晶材料の
誘電異方性Δεと液晶分子軸に直交する方向の誘電率ε⊥との比である誘電率比Δε／ε⊥の値を２以下と小さくして、応答特性を良くし、かつ平均誘電率
　
【外１】
の値を６以下とし、誘電率ε⊥の値を４以下と小さくしたので、配向膜界面に吸着されたイオン性の不純物を再び液晶材料中に取り込み難くなり、これにより液晶材料中の可動イオンの量が減少し、長時間動作させたときの動作の安定性および信頼性を高めることができる
　【００１２】
　【００１３】
　【実施例】
　以下、この発明の実施例について、図面を参照して詳細に説明する。図１において、１はガラス板または等方性のプラスチック板などからなる下基板である。この下基板１の上面には、紙面の表裏方向に延びるストライプ状の透明導電膜からなる複数の第１の電極２が形成され、この第１の電極２を覆って配向膜３が形成され、この配向膜３に配向処理が施されている。この下基板１に対向配置される上基板４は、ガラス板または等方性のプラスチック板で形成されており、下基板１と対向する下面には第１の電極２と直交するように紙面の左右方向に延びるストライプ状の透明導電膜からなる複数の第２の電極５が形成され、これらの第２の電極５を覆って配向膜６が形成され、この配向膜６に配向処理が施されている。上基板４と下基板１とは、電極２、５が形成された面を対向させ、４μｍ乃至９μｍの間隙を設けてシール材７によって接合され、これらの基板１、４間には液晶材料８が封入されている。シール材７によって接合された上下基板１、４の外側には偏光板９、１０が配置されている。
　【００１４】
　前記配向膜３、６は、液晶材料８の配向膜３、６に隣接する液晶分子に初期配向状態で約６°以上のプレチルト角を与えるポリミドなどからなる高チルト配向膜で形成されており、図２に示すように表示素子２０の上下の縁に平行な水平線ｈを基準にして、下基板１の配向膜３の配向処理方向３ａが左回りに約３０°の角度で交差する右上がりの方向にラビング処理され、上基板４の配向膜６の配向方向６ａが右回りに約３０°の角度で交差する右下がりの方向にラビングされている。また、配向膜３、６には、液晶材料８中の可動イオンを吸着し易くするために、表面エネルギーの極性力成分γｐ値が大きい配向材料が用いられている。その表面エネルギーの極性力成分γｐの値は、４０ｄｙｎ／ｃｍより大きいことが望ましく、この実施例では例えば、表面エネルギーの極性力成分の値が４２．１ｄｙｎ／ｃｍの配向膜が用いられている。
　【００１５】
　これらの配向膜３、６間に封入された液晶材料８は、その液晶分子が上基板１の配向処理方向３ａから上基板４の配向処理方向６ａに向って、図面上で右回りに約２４０°±１０°ねじれて配列されており、液晶の屈折率異方性Δｎと液晶層厚ｄとの積Δｎｄの値が０．７５乃至０．９０の範囲に設定されている。この液晶材料８は、ベント弾性定数Ｋ３３とスプレイ弾性定数Ｋ１１との比で表わされる弾性定数比Ｋ３３／Ｋ１１が大きい液晶化合物を多く配合すると共にシアノ基を持った液晶化合物の配合を少なくし、且つエステル結合及びヘテロ環式化合物を含まない様にして組成された液晶組成物であり、ベント弾性定数Ｋ３３とスプレイ弾性定数Ｋ１１との比で表わされる弾性定数比Ｋ３３／Ｋ１１の値が１．７５以上のものである。また、液晶材料８は、その誘電異方性Δεと液晶分子軸に直交する方向の誘電率（誘電率の垂直成分）ε⊥との比である誘電率比Δε／ε⊥の値が２以下で、ｄ／ｐが０．５である。さらに、液晶材料８は、配向膜３、６に吸着されたイオン性の不純物（可動イオン）を再び液晶材料８中に取り込み難くするために、誘電率の垂直成分ε⊥が４以下と小さく、かつ平均誘電率
　【外２】
の値が６以下と小さい。
　【００１６】
　一方、前記偏光板９、１０は、図２に示すように、前記上基板４に設けられた配向膜６の配向処理方向６ａを基準にして、偏光板１０の偏光軸（透過軸）１０ａは反時計方向に角度Ａだけ回転した方向に向いており、偏光板９の偏光軸（透過軸）９ａは反時計方向に角度Ｂだけ回転した方向に向いている。即ち、上基板４に設けられた配向膜６の配向処理方向６ａに対する偏光板１０の偏光軸（透過軸）１０ａの角度Ａは３０°乃至６０°の範囲に設定され、偏光板９の偏光軸（透過軸）９ａの角度Ｂは９５°乃至１２０°の範囲に設定されている。なお、この液晶表示装置は背景色が薄黄となるイエロモードであり、この液晶表示装置では特に図２に示すように角度Ａが５０°で、角度Ｂが１００°であるのが望ましい。
　【００１７】
　また、図３および図４に示す液晶表示装置は表示色が黒白のＢ／Ｗモードであり、上基板４と上側偏光板１０との間に表示画面の着色を防止するために透過光の色補正を行なう位相板１２が配置されている。この液晶表示装置では特に図４４に示すように角度Ａが４０°で、角度Ｂが１０５°であるのが望ましく、位相板１２は、５００ｎｍ乃至６００ｎｍの位相差を持ち、その光学軸（遅相軸）１２ａは配向膜６の配向処理方向６ａを基準にして反時計方向に角度Ｃを以って交差する方向に配置されている。即ち、光学軸（遅相軸）１２ａの配向処理方向６ａに対する角度Ｃは５５°乃至９０°の範囲に設定され、特に向に約８０°の角度であるのが望ましい。
　【００１８】
　このような実施例では、液晶材料８の誘電率比Δε／ε⊥の値を２以下と小さくしたことにより、ε‖−ε⊥の絶対値の差が小さくなって電界を印加したときに液晶分子の配向状態が変化しても液晶層の誘電率の変化が少ないので、この液晶層に印加される有効な電界強度の変化が小さくなり、輝度変化の急俊性が極めて良くなる。すなわち、図５に示す様に、液晶表示装置の急俊性Ｙの値は、液晶材料９、１７の弾性定数比Ｋ３３／Ｋ１１の値が大きく、また誘電率比Δε／ε⊥の値が小さいほど、その値が１．０に近くなり、急俊性が良くなる。特に、誘電率比Δε／ε⊥の値が２以下と小さい場合に急俊性が極めて良くなる。そして、この場合、液晶材料８の誘電率比Δε／ε⊥の値が２以下と小さくすると、ｄ／ｐマージン（ナチュラルピッチｐの液晶が基板間隔ｄの上下基板間に封入されたとき、液晶分子が所定のツイスト角、例えば２４０°ツイスト配向し、かつ電圧が印加された場合にもムラの無い均一なツイスト配向が得られるための基板間隔ｄの範囲）が狭くなり、またｄ／ｐマージンの上限の値が図６に示す様に小さくなって安定したツイスト配向が得られなくなるが、この実施例では液晶分子のプレチルト角を６°以上、望ましくは８°以上とすることにより、図７に示す様にｄ／ｐマージンを大きくすることができ、ツイスト角が２４０°と大きくしてもｄ／ｐマージンは充分に大きくなって安定した配向状態が得られる。このため、この実施例は、液晶表示装置の印加電圧に対する輝度変化の急俊性が向上し、応答速度が速くなり、１／４００デューティでの高時分割駆動が可能で、しかもコントラストも高い。また、表示画面全体に亘って均一で安定したツイスト配向が得られる。
　【００１９】
　また、この実施例では、配向膜３、６の表面エネルギーの極性力成分γｐを４０ｄｙｎ／ｃｍ以上と大きくしたので、液晶材料８中の可動イオンが配向膜３、６に吸着され易くなり、しかも液晶材料８の平均誘電率
　【外２】
の値が６以下と小さいので、液晶材料８中に不純物イオンが取り込まれ難くなり、液晶表示素子としての動作の安定性および信頼性が高くなる。さらにこの実施例の液晶材料８は、誘電率の垂直成分ε⊥の値が４より小さい。この様に誘電率の垂直成分ε⊥の値が小さい液晶材料８は、配向膜に吸着されたイオン性不純物を再び液晶中に取込むことがないので、液晶材料中の可動イオンの量が減少し、液晶表示装置の長時間の動作に対する安定性及び信頼性が向上する。またさらに、液晶材料８のε⊥の値が小さいと、ε‖−ε⊥で与えられる液晶組成物の誘電異方性Δεの値を正にするための液晶組成物のε‖の値を小さくすることができ、液晶組成物の平均誘電率
　【外１】
も小さくなり、平均誘電率
　【外１】
が小さい液晶組成物は不純物イオンを取込み難いので、液晶材料８中の可動イオンの量が減少し、その結果信頼性が向上する。
　【００２０】
　また、電気光学的特性から見た場合には、平均誘電率
　【外１】
の値が小さい液晶材料８は、対向する電極２、５とその間に介在する液晶材料８とによって形成される各画素の等価的なコンデンサの容量が小さくなり、これらの電極２、５間にチャージされた電荷の充放電が速やかに行なわれ、その結果表示画面に現われる残像現象を低減することができる。また、各画素の容量が小さくなるので、これらの各画素に信号を供給する駆動回路の駆動能力を小さくすることができ駆動回路の構成が単純化し、且つ小型になる。
　【００２１】
　前述した液晶材料８中の可動イオンの量は電圧保持率に対応している。電圧保持率は、図９に示すように、液晶材料８を挾んで対向する電極２、５間に、ｔ１（６０μｓ）時間だけ電圧Ｖを印加し、残りのｔ２時間開放状態にし、これを３０Ｈｚの周期で繰り返したとき、電極間電圧ｖの実効値が変化する割合を表す値であり、図９中で基準電位Ｇと電極間電圧を表す実線で囲まれた面積を、基準電位Ｇと理想的な電圧波形を表す２点鎖線で囲まれた面積で割った値である。図８に誘電率の垂直成分ε⊥が異なる種々の液晶材料８を用いて電圧保持率を測定した結果を示す。この図８から明らかなように、誘電率の垂直成分ε⊥の値が小さいほど電圧保持率が高く、誘電率の垂直成分ε⊥の値が４より小さいとき、電圧保持率が８０％を越えている。このため、電圧保持率の値が８０％より大きい液晶材料８を用いることによって、上述した様な動作の安定性および信頼性が極めて良好な液晶表示装置を得ることができる。したがって、この電圧保持率と誘電率の垂直成分ε⊥の値との関係を液晶表示装置の信頼性の評値に適用することができる。即ち、液晶表示装置の動作の安定性および信頼性を、液晶表示装置の電気的特性である電圧保持率を測定するだけで容易に評価することができる。
　【００２２】
　次に、この実施例の具体例について説明する。表１に示す物性を持つ液晶Ａを用いて、図１〜図４に示された液晶表示装置を形成した実施例について、その素子の構成と、液晶表示素子の法線方向から観察したときの測定温度が２５°Ｃにおける電気−光学特性を表２に示した。
　【表１】
　【表２】
　ここで、図１および図２に示す液晶表示装置は位相板１２を用いないイエロモードの場合であり、偏光板１０の偏光軸１０ａの角度Ａ、および偏光板９の偏光軸９ａの角度Ｂは、それぞれ５０°、１００°である。図３および図４に示す液晶表示装置は位相板１２を用いたＢ／Ｗモードの場合であり、位相板１２の位相差Ｒｅは６００ｎｍ、偏光板１０の偏光軸１０ａの角度Ａ、偏光板９の偏光軸９ａの角度Ｂ、及び位相板１２の光学軸１２ａの角度Ｃは、それぞれ４０°、１０５°、８０°である。また、Ｖｔｈは、コントラストの最大値が得られる動作電圧である。
　【００２３】
　この表２から明らかな如く、実施例１、２は、ツイスト角を２４０°、誘電率比Δε／ε⊥の値を２以下とし、かつプレチルト角を８以上としたので、急俊な輝度特性が得られ、応答時間が３２０ｍｓｅｃ、２５０ｍｓｅｃと速く、１／４００デューティで駆動することができる。また、実施例３、４は、実施例１、２の条件以外に、表示色を補正するための位相板１２を備えているので、応答時間が速く、１／４００デューティで駆動できるほか、特にコントラストが３６、２２と高い。この場合、コントラストは弾性定数比Ｋ３３／Ｋ１１が大きくなるに従って高くなる。すなわち、弾性定数比Ｋ３３／Ｋ１１が１．７５以下であると１０程度となり、弾性定数比Ｋ３３／Ｋ１１が１．７５以上であると６３程度と極めて高くなる。したがって、コントラストを高くするには弾性定数比Ｋ３３／Ｋ１１の値が１．７５以上であることが好ましい。さらに、実施例１〜４では、平均誘電率
　【外１】
が６以下であると、不純物イオンを取り込み難くなるので、液晶材料８に配向ムラが発生せず、動作が安定する。
　【００２４】
　このように、この実施例によれば、ツイスト角を２４０°、プレチルト角を６°以上、誘電率比Δε／ε⊥の値を２以下、誘電率ε⊥の値を４より小さく、かつ平均誘電率
　【外１】
を６以下としたので、急俊な輝度特性が得られ、応答速度が速く、１／４００デューティで駆動しても高いコントラストが得られる。
　【００２５】
　また、配向膜３、６として６°以上、望ましくは８°以上のプレチルト角を液晶分子に与える高チルト配向膜材料で、かつ表面エネルギーが４０ｄｙｎ／ｃｍ以上と大きなものを用いたので、２４０°ツイスト配向が安定して得られ、液晶材料８中の可動イオンを吸着することができ、しかも液晶材料の平均誘電率
　【外１】
の値を６以下としたので、不純物イオンを液晶材料８中に取り込み難く、配向ムラの発生を防ぐことができ、液晶表示素子の長時間駆動に対する動作の安定性および信頼性が高くなる。
　【００２６】
　さらに平均誘電率
　【外１】
を小さくしたので各画素の電気的容量が小さくなって画像の残像現象を防止すると共に、駆動能力の小さい駆動回路を用いることができる。
　【００２７】
　【発明の効果】
　以上述べたように、この発明は、液晶材料
の誘
　【外１】
の値を６以下とし、且つ誘電率ε⊥の値を４より小さくしたので、液晶材料中の可動イオン量が減少し、長時間動作させたときの動作の安定性および信頼性を高めることができる。
【図面の簡単な説明】
　【図１】
　この発明の液晶表示装置の断面図。
　【図２】
　図１に示す液晶表示装置の配向処理方向と上下偏光板の偏光軸方向の配置を示す平面図。
　【図３】
　この発明の他の液晶表示装置の断面図。
　【図４】
　図３に示す液晶表示装置の配向処理方向、上下偏光板の偏光軸方向、および位相板の光学軸方向の配置を示す平面図。
　【図５】
　弾性定数比Ｋ３３／Ｋ１１と誘電率比Δε／ε⊥との比に対する急俊性の関係を示す図。
　【図６】
　弾性定数比Ｋ３３／Ｋ１１と誘電率比Δε／ε⊥との比に対するｄ／ｐマージンの上限値との関係を示す図。
　【図７】
　ツイスト角とｄ／ｐマージンの関係を示す図。
　【図８】
　誘電率と電圧保持率の関係を示す図。
　【図９】
　電圧保持率の定義を示す図。
　【符号の説明】
　１、４　基板
　２、５　電極
　３、６　配向膜
　８　液晶材料
　９、１０　偏光板